(57)【要約】【課題】廃棄される供給ガス量を低減し、効率良くガスを人体内に供給できる鼻腔カニューラを提供する。【解決手段】内部が気密空間とされた本体１１と、前記本体に設けられ、ガス供給源３から供給されるガスを前記本体に導入するガス導入部１２と、前記本体に設けられ、鼻腔に隙間なく挿入される弾性を有する鼻腔挿入部１３と、前記本体に設けられ、主として前記鼻腔からの呼気を前記本体の外部へ排気する排気孔１４と、前記排気孔を開閉可能に設けられ、前記本体の内部から外部への気体の流れのみを許容する第１逆止弁１５と、を備える。【選択図】図３
2018089139.tif 000002
【特許請求の範囲】
【請求項１】
内部が気密空間とされた本体と、
前記本体に設けられ、ガス供給源から供給されるガスを前記本体に導入するガス導入部と、
前記本体に設けられ、鼻腔に隙間なく挿入される弾性を有する鼻腔挿入部と、
前記本体に設けられ、主として前記鼻腔からの呼気を前記本体の外部へ排気する排気孔と、
前記排気孔を開閉可能に設けられ、前記本体の内部から外部への気体の流れのみを許容する第１逆止弁と、を備える鼻腔カニューラ。
【請求項２】
前記本体の内部の、供給されるガスの流れに沿った前記ガス導入部と前記第１逆止弁との間に設けられ、前記ガス導入部から前記鼻腔挿入部へのガスの流れのみを許容する第２逆止弁をさらに備える請求項１に記載の鼻腔カニューラ。
【請求項３】
前記本体の、前記ガス導入部と前記鼻腔挿入部との間に設けられた吸気補充孔と、
着脱可能に設けられた、前記吸気補充孔を閉塞する栓と、をさらに備える請求項１に記載の鼻腔カニューラ。
【請求項４】
前記本体の、前記第１逆止弁と前記鼻腔挿入部との間に設けられた吸気補充孔と、
着脱可能に設けられた、前記吸気補充孔を閉塞する栓と、をさらに備える請求項２に記載の鼻腔カニューラ。
【請求項５】
前記第１逆止弁に吸気補充孔が設けられている請求項１に記載の鼻腔カニューラ。
【請求項６】
前記吸気補充孔の孔径又は数は、前記ガス供給源から供給されるガスの供給量に応じて設定され、前記ガス供給源から供給されるガスの供給量が多いほど、前記吸気補充孔の孔径を小さく、又は数を少なく設定する請求項５に記載の鼻腔カニューラ。
【請求項７】
前記第１逆止弁は、前記吸気補充孔の孔径に応じて異なる色彩が付されている請求項６に記載の鼻腔カニューラ。
【請求項８】
前記本体は、前記鼻腔挿入部を含む弾性を有する第１部材と、前記ガス導入部を含む、前記第１部材より剛性のある第２部材とが、着脱可能に嵌合されてなる請求項１〜７のいずれか一項に記載の鼻腔カニューラ。
【請求項９】
前記ガス導入部に接続された第１チューブの一端と、前記ガス供給源に接続された第２チューブの一端とが接続されたリザーババッグをさらに備える請求項１〜８のいずれか一項に記載の鼻腔カニューラ。
【発明の詳細な説明】
【技術分野】
【０００１】
本発明は、鼻腔カニューラに関するものである。
【背景技術】
【０００２】
この種の鼻孔カニューラとして、酸素供給源に接続され、使用者に酸素ガスを供給するカニューラにおいて、一端に酸素供給源との接続口、途中に分岐部を備え、分岐部を介して環状に接続されその中間部分に鼻孔へ酸素ガスを供給する開口部を備えたチューブ状部材から構成され、且つ該チューブ状部材に首で支持するための支持部材を有する呼吸用気体供給カニューラが知られている（特許文献１）。
【先行技術文献】
【特許文献】
【０００３】
【特許文献１】特開２００６‐３４０８９７号公報
【発明の概要】
【発明が解決しようとする課題】
【０００４】
人間は、吸気→休止→排気→休止というサイクルで呼吸するが、上記従来の呼吸用気体供給用カニューラでは、酸素供給源から供給される酸素ガスは吸気の際にのみ人体に取り込まれ、排気及び休止の際には大気中に廃棄される。このように、従来の鼻孔カニューラでは供給されるガスの多くが無駄になるという問題がある。
【０００５】
本発明が解決しようとする課題は、廃棄される供給ガス量を低減し、効率良くガスを人体内に供給できる鼻腔カニューラを提供することである。
【課題を解決するための手段】
【０００６】
本発明は、内部が気密空間とされた本体と、前記本体に設けられ、ガス供給源から供給されるガスを前記本体に導入するガス導入部と、前記本体に設けられ、鼻腔に隙間なく挿入される弾性を有する鼻腔挿入部と、前記本体に設けられ、主として前記鼻腔からの呼気を前記本体の外部へ排気する排気孔と、前記排気孔を開閉可能に設けられ、前記本体の内部から外部への気体の流れのみを許容する第１逆止弁と、を備える鼻腔カニューラにより、上記課題を解決する。
【発明の効果】
【０００７】
吸気→休止→排気→休止という呼吸サイクルのうち、吸気の際には、ガス導入部から導入されたガスが本体の気密空間を流下して鼻腔挿入部から鼻腔に供給される。このとき、鼻腔挿入部は鼻腔に隙間なく挿入され、且つ第１逆止弁も閉塞しているので、ガス供給源から供給されたガスは、外部へ廃棄されることなく、その全量が人体内に供給される。
【０００８】
排気の際には、鼻腔からの呼気により第１逆止弁が開くので当該呼気は外部へ排気される。このとき、呼気の圧力により本体の気密空間に供給されたガスは押し戻される。したがって、本体の気密空間に供給されたガスが、排気孔から外部へ排気されるのを防止できる。
【０００９】
休止の際には、第１逆止弁が閉じているので、ガス供給源から供給されたガスが、本体の外部へ廃棄されることはない。以上のことから、本発明によれば、廃棄される供給ガス量を低減し、効率良くガスを人体内に供給することができる。
【図面の簡単な説明】
【００１０】
【図１】本発明に係る鼻腔カニューラの一実施の形態を示す全体構成図である。
【図２】本発明に係る鼻腔カニューラの一実施の形態を示す斜視図である。
【図３】本発明に係る鼻腔カニューラの一実施の形態を三面図である。
【図４】本発明に係る鼻腔カニューラの一実施の形態を示す断面図である。
【図５】本発明に係る鼻腔カニューラの他の実施の形態を示す断面図である。
【図６】本発明に係る鼻腔カニューラの他の実施の形態を示す断面図である。
【図７】本発明に係る鼻腔カニューラのさらに他の実施の形態を示す三面図である。
【図８】本発明に係る鼻腔カニューラのさらに他の実施の形態を示す断面図である。
【発明を実施するための形態】
【００１１】
本発明に係る鼻腔カニューラ１は、図１に示すように、ガス供給源３から供給されるガスを、人間の鼻腔を介して体内に供給するための器具である。なお、図１に示す実施形態おいては、鼻腔カニューラ１とガス供給源３との間に、第１チューブ１９及び第２チューブ２０並びにリザーババッグ２１が設けられている。詳細は後述する。
【００１２】
本発明の鼻腔カニューラ１において、ガス供給源３から供給されるガスの種類は特に限定されない。酸素ガス、水素ガス又はこれらそれぞれの混合ガスなどが適用できる。以下の実施形態では、空気成分ではない水素含有ガスを効率良く体内に供給する鼻腔カニューラを一例に本発明を説明する。
【００１３】
《第１実施形態》
図２は、本実施形態の鼻腔カニューラを示す斜視図、図３は、図２の鼻腔カニューラを示す三面図であって、（Ａ）は背面図、（Ｂ）は底面図、（Ｃ）は側面図である。図４は、図３の鼻腔カニューラを示す断面図であって、（Ａ）は図３のIVＡ−IVＡ線に沿う断面図、（Ｂ）は図３のIVＢ−IVＢ線に沿う断面図、（Ｃ）は図３のIVＣ−IVＣ線に沿う断面図、（Ｄ）は図４のIVＤ−IVＤ線に沿う断面図、（Ｅ）図３のIVＥ−IVＥ線に沿う断面図である。
【００１４】
本実施形態の鼻腔カニューラ１は、図２〜図４に示すように、内部が気密空間とされた本体１１と、この本体１１に設けられ、ガス供給源３から供給される水素含有ガスを本体１１の内部に導入するガス導入部１２と、本体１１に設けられ、鼻腔に隙間なく挿入される弾性を有する鼻腔挿入部１３と、本体１１に設けられ、主として鼻腔からの呼気を本体１１の外部へ排気する排気孔１４と、排気孔１４を開閉可能に設けられ、本体１１の内部から外部への気体の流れのみを許容する第１逆止弁１５と、本体１１の内部の、供給されるガスの流れに沿ったガス導入部１２と第１逆止弁１５との間に設けられ、ガス導入部１２から鼻腔挿入部１３へのガスの流れのみを許容する第２逆止弁１６と、本体１１の、第１逆止弁１５と鼻腔挿入部１３との間に設けられた吸気補充孔１７と、着脱可能に設けられた、吸気補充孔１７を閉塞する栓１８と、を備える。
【００１５】
本体１１は、鼻腔挿入部１３を含む弾性を有する第１部材１１１と、ガス導入部１２を含む、第１部材１１１より剛性のある第２部材１１２とを含む。これら第１部材１１１と第２部材１１２は、第１部材１１１の弾性を利用して取り外し可能に嵌合されている。これにより、第１部材１１１を第２部材１１２から取外し、これらの内部を容易に清掃することができる。鼻腔挿入部１３を含む第１部材１１１は、鼻腔に隙間なく挿入されてガスの漏れを防止するため、ゴム又はエラストマーなどの弾性又は柔軟性のある樹脂で構成されている。中でもシリコーンゴムは、弾性力の選択幅が広いので設計自由度が高く、また耐熱性があるので煮沸消毒にも耐え、さらに匂いがなく、皮膚や粘膜を刺激する物質を放出しない点でより好ましい。これに対し、第２部材１１２は、第１逆止弁１５、第２逆止弁１６及びガス導入部１２を設けるとともに、第１部材１１１を嵌合して保持することから、第１部材１１１に比べて剛性のあるポリプロピレンなどの樹脂で構成されている。
【００１６】
ガス導入部１２は、本体１１に設けられ、ガス供給源３から供給される水素含有ガスを本体１１の内部に導入する。ガス導入部１２は、本体１１の第２部材１１２と一体成形してもよいが、本実施形態のガス導入部１２は、第２部材１１２と同様の剛性を有するポリプロピレンなどの樹脂により本体１１とは別部品で構成され、本体１１に形成されたガス導入孔１１３の周りに嵌合されている。これにより、ガス導入部１２の先端のパイプ部１２１は本体１１に対して回動可能とされている。パイプ部１２１には、第１チューブ１９の一端が装着される。ガス導入部１２から本体１１の内部にガスを導入するガス導入孔１１３は、図４（Ｄ）及び（Ｅ）に示し、詳細は後述する。
【００１７】
鼻腔挿入部１３は、本体１１に設けられ、鼻腔に隙間なく挿入される弾性を有する。上述したように、鼻腔挿入部１３は、本体１１の第１部材１１１の一部として形成され、平均的な鼻腔の内径に相当する外径の一対の突起を有する。図３（Ｂ）の点線は、鼻腔カニューラ１を人間の鼻腔に装着した状態を示す（ただし、図示する鼻腔カニューラ１の都合上、顔の向きを表裏反対に示す）。
【００１８】
排気孔１４は、本体１１の第２部材１１２の下面に設けられ、主として鼻腔からの呼気を本体１１の外部へ排気するための孔である。第１逆止弁１５は、ゴム又はエラストマーなどの弾性を有する材料から構成され、排気孔１４を開閉可能に設けられている。第１逆止弁１５は、本体１１の内部から外部への気体の流れのみを許容する方向に開閉する。図３（Ｂ）及び図４（Ａ）に示すように、本実施形態の排気孔１４は、本体の第２部材１１２の下面に形成された２つの長孔からなり、第１逆止弁１５の軸部は、２つの長孔からなる排気孔１４の間に外側から固定されている。そして、排気の際の呼気により本体１１の内部の圧力が上昇すると、第１逆止弁１５の軸部を支点として本体１１の外側へ向かって撓むことで排気孔１４を開放し、本体１１の内部の圧力が下降すると、弁体の自己弾性により原位置に戻ることで排気孔１４を閉塞する。
【００１９】
第２逆止弁１６は、ゴム又はエラストマーなどの弾性を有する材料から構成され、本体１１の第２部材１１２の内部の、供給されるガスの流れに沿ったガス導入部１２と第１逆止弁１５との間に設けられている。第２逆止弁１６は、ガス導入部１２から鼻腔挿入部１３へのガスの流れのみを許容する方向に開閉する。本実施形態のガス導入孔１１３は、図４（Ｄ）に示すように、円周状に並ぶ例えば４つの略扇形状の孔からなり、第２逆止弁１６の軸部は、これら４つの略扇形状の孔の中心に本体１１の内側から固定されている。そして、後述するリザーババッグ２１を設けた場合には、使用者の吸気により、第２逆止弁１６の軸部を支点として４つの弁体が本体１１の内側に向かって撓むことでガス導入孔１１３を開放する。一方、使用者の呼吸が休止するか、排気の際は、弁体の自己弾性により原位置に戻ることでガス導入孔１１３を閉塞する。なお、リザーババッグ２１を設けずに、ガス供給源３とガス導入部１２とをチューブで直接接続した場合、ガス供給源３から供給されるガスの圧力により、第２逆止弁１６の軸部を支点として４つの弁体が本体１１の内側に向かって撓むことでガス導入孔１１３を開放する。一方、ガス供給源３から供給されるガスの圧力が下降するか、排気の呼気の圧力の方が高くなると、弁体の自己弾性により原位置に戻ることでガス導入孔１１３を閉塞する。
【００２０】
吸気補充孔１７は、図４（Ｃ）に示すように、本体１１の第１部材１１１の、第１逆止弁１５と鼻腔挿入部１３との間に設けられている。また、吸気補充孔１７を閉塞する栓１８が、着脱可能に設けられている。本実施形態の吸気補充孔１７は、使用者の呼吸量に応じて栓１８を取外し、呼吸が楽になるように調整するための孔である。したがって、肺活量が大きい使用者は、幾つかの栓１８を取外すことで、ガス供給源３からの供給ガスに加えて周囲の空気を吸気することができるので、鼻腔カニューラ１を装着した際の呼吸が楽になる。本実施形態では、同径の吸気補充孔１７を３つ設けているが、孔の数及び径は限定されず、ガス供給源３からのガス供給量に応じて適宜の数及び孔径を設定すればよい。
【００２１】
図１に戻り、ガス導入部１２のパイプ部１２１には、第１チューブ１９の一端が接続され、当該第１チューブ１９の他端はリザーババッグ２１の出口２１１に接続されている。また、ガス供給源３のガス出口３１には、第２チューブ２０の一端が接続され、当該第２チューブ２０の他端はリザーババッグ２１の入口２１２に接続されている。リザーババッグ２１は、ゴム、エラストマー、ポリエチレンその他の柔軟性を有する材料から構成され、ガス供給源３から供給されたガスを一時的に貯留するために伸縮する。また、ガス供給源３からのガスに含まれた水分が結露することもあるため、リザーババッグ２１により気液分離する機能も司る。リザーババッグ２１は、バッグ本体２１３と、入口２１２及び出口２１１が設けられたキャップ２１４とが着脱可能とされ、結露水が溜まったらキャップ２１４を取り外して容易に結露水を廃棄できるようになっている。リザーババッグ２１を設けることで、使用者の呼吸が休止及び排気している際には、ガス供給源３から連続して供給されるガスを一時的に貯留するので、使用者が吸気する際には、ガス供給源３から供給されるガスだけでなく、リザーババッグ２１に貯留されたガスも吸引することができ、目的とするガスの吸引効率が高くなる。
【００２２】
本体１１の第１部材１１１には一対のストラップ用突起部２２が設けられている。本実施形態の鼻腔カニューラ１を鼻腔に装着する際には、ストラップ（紐）をストラップ用突起部と耳に架け渡すことで、鼻腔カニューラ１を鼻腔に固定する。
【００２３】
次に本実施形態の鼻腔カニューラ１の使用方法及び作用を説明する。
まず、ガス供給源３とリザーババッグ２１と鼻腔カニューラ１とを第１チューブ１９及び第２チューブ２０を用いて図１に示すように接続し、ストラップを用いて鼻腔カニューラ１の鼻腔挿入部１３を使用者の鼻腔に挿入する。ガス供給源３から吸引目的とする水素含有ガスを所定流量で供給し始めると、第２チューブ２０、リザーババッグ２１、第１チューブ１９を介してガス導入部１２に水素含有ガスが流れる。このとき、使用者の呼吸が休止及び排気している際には、ガス供給源３から連続して供給されるガスは、リザーババッグ２１に一時的に貯留される。
【００２４】
使用者が吸気することでガス導入部１２に至った水素含有ガスは、第２逆止弁１６を押し広げ、ガス導入孔１１３を通過し本体１１の内部に至る。使用者が吸気するとこの水素含有ガスが鼻腔を介して人体内へ吸気される。使用者が排気する際には、その呼気の圧力により第２逆止弁１６が閉じるとともに、第１逆止弁１５が押し広げられ、排気孔１４から当該呼気が本体１１の外部へ排出される。このとき、ガス供給源３から供給される水素含有ガスは、リザーババッグ２１に一時的に貯留される。
【００２５】
呼吸が休止している際にあっても、第２逆止弁１６が閉じるので、それ以上本体１１の内部に流れ込まず、ガス供給源３から供給されるガスはリザーババッグ２１に一時的に貯留される。なお、リザーババッグ２１を設けずに、ガス供給源３とガス導入部１２とをチューブで直接接続した場合には、ガス供給源３から供給されるガスの圧力により、第２逆止弁１６の軸部を支点として４つの弁体が本体１１の内側に向かって撓むことでガス導入孔１１３を開放する。したがって、第２逆止弁１６の材料の硬度を硬くするか又は厚さを厚くすることで、ガス供給源３とガス導入部１２との間の圧力を高めれば、使用者が吸気した際のガスの供給量を相対的に増加させることができる。
【００２６】
以上のとおり、本実施形態の鼻腔カニューラ１によれば、ガス供給源３から供給される水素含有ガスが無駄に廃棄されるのを防止することができる。これにより、ガス供給源３から供給される水素含有ガスの流量を必要最小限とすることができるので、ガス供給源３の小型化及び省エネルギー化を図ることができる。なお、水素含有ガスを供給するガス供給源３は、水素ガスボンベのほか水の電気分解を利用した電解槽を含む水素生成装置であってもよいので、その場合には持ち運びに便利な小型化のみならず省電力化も図ることができる。
【００２７】
《第２実施形態》
図５及び図６は、本発明に係る鼻腔カニューラの他の実施の形態を示す図である。図５（Ａ）は背面図、図５（Ｂ）は図５（Ａ）のVＢ−VＢ線に沿う断面図、図５（Ｃ）は図５（Ａ）のVＣ−VＣ線に沿う断面図、図５（Ｄ）は図５（Ａ）に保持枠を装着した背面図、図５（Ｅ）は図５（Ｄ）のVＥ−VＥ線に沿う断面図、図５（Ｆ）は第１逆止弁の諸形態を示す平面図、図６（Ａ）は図５（Ｂ）の拡大断面図、図６（Ｂ）は図５（Ａ）のVIＢ−VIＢ線に沿う断面図である。
【００２８】
本実施形態の鼻腔カニューラ１は、第１実施形態に比べて、吸気補充孔１７が、本体１１ではなく、第１逆止弁１５に設けられている点と、排気孔１４及び第１逆止弁１５が、本体１１の第１部材１１１の底面ではなく背面に設けられている点が相違し、その他の構成については第１実施形態と同じである。
【００２９】
第１実施形態の図３（Ｂ）及び図４（Ｃ）に示すように、排気孔１４及び第１逆止弁１５を、本体１１の第１部材１１１の底面に配置すると、第１部材１１１の前後方向の幅が大きくなり、鼻腔カニューラ１自体が、人間の鼻腔から前方へ大きく突出することになる。鼻腔カニューラ１が鼻腔から前方へ大きく突出すると使用者は違和感を覚えるため、装着時のこうした違和感を解消するために、本実施形態の鼻腔カニューラ１では、排気孔１４及び第１逆止弁１５を、本体１１の第１部材１１１の底面ではなく、ガス導入部１２が設けられた背面に設けている。
【００３０】
これに加え、第１実施形態の図４（Ｂ）及び図４（Ｃ）に示すように、吸気補充孔１７を、本体１１の第１部材１１１の上面に配置しても、第１部材１１１の前後方向の幅が大きくなり、鼻腔カニューラ１自体が、人間の鼻腔から前方へ大きく突出することになる。本実施形態の鼻腔カニューラ１では、吸気補充孔１７を、本体１１の第１部材１１１の上面ではなく、第１逆止弁１５に設けている。これらにより、図５（Ｂ）及び図６（Ａ）に示すように、本体１１の第１部材１１１の前後方向の寸法を短くすることができる。
【００３１】
なお、本実施形態の第１逆止弁１５は、図６（Ａ）に示すように、本体１１の第１部材１１１の排気孔１４の横に形成した突起部１１４に、第１逆止弁１５に形成した孔を嵌合させることにより当該第１逆止弁１５を本体１１に固定する。また、図５（Ｆ）に示すように、排気孔１４の径が相違する複数種類の第１逆止弁１５を用意しておき、ガス供給源３から供給されるガスの定格流量に応じて、排気孔１４の径を選定する。この場合、図５（Ｆ）に示す複数種類の第１逆止弁１５の色彩をそれぞれ異なる色彩としてもよい。こうすることで、第１逆止弁１５の組み付け時の間違いや、使用者との連絡の際に、どの排気孔１４を有する第１逆止弁１５かを容易に特定することができる。
【００３２】
本実施形態の鼻腔カニューラ１では、第１実施形態の図３等に示すストラップ用突起部２２を設けることに代えて、図５（Ｄ），（Ｅ）に示すように、本体１１の第１部材１１１に、ポリプロピレンなどの剛性の高い樹脂で構成された保持枠２３を装着する。そして、この保持枠２３の左右それぞれにストラップ（紐）を通す孔を形成する。ストラップ用突起部２２についても、本体１１の第１部材１１１の前後方向の寸法が大きくなる一要因であることから、この保持枠２３によっても、図５（Ｄ）及び（Ｅ）に示すように、本体１１の第１部材１１１の前後方向の寸法を短くすることができる。
【００３３】
《第３実施形態》
図７は、本発明に係る鼻腔カニューラのさらに他の実施の形態を示す四面図であり、図７（Ａ）は背面図、図７（Ｂ）は平面図、図７（Ｃ）は側面図である。図８（Ａ）は図７（Ｂ）のVIIIＡ−VIIIＡ線に沿う断面図、図８（Ｂ）は図７（Ａ）のVIIIＢ−VIIIＢ線に沿う断面図、図８（Ｃ）は図７（Ａ）のVIIIＣ−VIIIＣ線に沿う断面図である。
【００３４】
本実施形態の鼻腔カニューラ１は、図５及び図６に示す第２実施形態に比べて、吸気補充孔１７及びこれを塞ぐ着脱可能な栓１８が本体１１に設けられている点と、第２逆止弁１６が設けられていない点が相違し、その他の構成については第２実施形態と同じである。
【００３５】
本体１１にガス導入部１２から鼻腔挿入部１３へのガスの流れのみを許容する第２逆止弁１６を設けると、排気の呼気が本体１１から第１チューブ１９へ逆流するのを確実に防止できるが、ガス供給源３から供給されるガス圧が作用する限り、逆流の程度は小さい。また、第１逆止弁１５の開放圧を小さくすれば、排気時の呼気は第１チューブ１９へ逆流するよりも排気孔１４から排気され得る。このため、本実施形態の鼻腔カニューラ１においては、第２逆止弁１６を省略し、部品点数を削減することで簡素で廉価な鼻腔カニューラ１を提供することができる。
【００３６】
また、吸気補充孔１７及びこれを塞ぐ着脱可能な栓１８を、本体１１の第１部材１１１の背面に、第１逆止弁１５及び排気孔１４とともに設けることで、第２実施形態と同様に、本体１１の第１部材１１１の前後方向の寸法を短くすることができる。
【００３７】
なお、上述した第１実施形態〜第３実施形態において、リザーババッグ２１は必須ではなく、ガス供給源３から供給されるガスをチューブなどで直接鼻腔カニューラ１に接続してもよい。また、吸気補充孔１７及び栓１８も必須ではなく、必要に応じて省略してもよい。さらに、鼻腔カニューラ１の本体１１は複数の部材（上述した実施形態では第１部材１１１と第２部材１１２）で構成するのも必須ではなく、３つ以上の部材で構成してもよいし、１つの部材で構成してもよい。
【符号の説明】
【００３８】
１…鼻腔カニューラ
１１…本体
１１１…第１部材
１１２…第２部材
１１３…ガス導入孔
１１４…突起部
１２…ガス導入部
１２１…パイプ部
１３…鼻腔挿入部
１４…排気孔
１５…第１逆止弁
１６…第２逆止弁
１７…吸気補充孔
１８…栓
１９…第１チューブ
２０…第２チューブ
２１…リザーババッグ
２１１…出口
２１２…入口
２１３…バッグ本体
２１４…キャップ
２２…ストラップ用突起部
２３…保持枠
３…ガス供給源
３１…ガス出口
【図１】
2018089139.tif 000003
【図２】
2018089139.tif 000004
【図３】
2018089139.tif 000005
【図４】
2018089139.tif 000006
【図５】
2018089139.tif 000007
【図６】
2018089139.tif 000008
【図７】
2018089139.tif 000009
【図８】
2018089139.tif 000010
【手続補正書】
【提出日】平成29年6月5日(2017.6.5)
【手続補正１】
【補正対象書類名】特許請求の範囲
【補正対象項目名】全文
【補正方法】変更
【補正の内容】
【特許請求の範囲】
【請求項１】
内部が気密空間とされた本体と、
前記本体に設けられ、ガス供給源から供給されるガスを前記本体に導入するガス導入部と、
前記本体に設けられ、鼻腔に隙間なく挿入される弾性を有する鼻腔挿入部と、
前記本体に設けられ、主として前記鼻腔からの呼気を前記本体の外部へ排気する排気孔と、
前記排気孔を開閉可能に設けられ、前記本体の内部から外部への気体の流れのみを許容する第１逆止弁と、
前記本体の外部から内部へ吸入される空気量を調整する吸入空気量調整手段と、を備える鼻腔カニューラ。
【請求項２】
前記本体の内部の、供給されるガスの流れに沿った前記ガス導入部と前記第１逆止弁との間に設けられ、前記ガス導入部から前記鼻腔挿入部へのガスの流れのみを許容する第２逆止弁をさらに備える請求項１に記載の鼻腔カニューラ。
【請求項３】
前記吸入空気量調整手段は、
前記本体の、前記ガス導入部と前記鼻腔挿入部との間に設けられた吸気補充孔と、
着脱可能に設けられた、前記吸気補充孔を閉塞する栓と、を含む備える請求項１に記載の鼻腔カニューラ。
【請求項４】
前記吸入空気量調整手段は、
前記本体の、前記第１逆止弁と前記鼻腔挿入部との間に設けられた吸気補充孔と、
着脱可能に設けられた、前記吸気補充孔を閉塞する栓と、を含む備える請求項２に記載の鼻腔カニューラ。
【請求項５】
前記吸入空気量調整手段は、
前記第１逆止弁に設けられた吸気補充孔を含む請求項１に記載の鼻腔カニューラ。
【請求項６】
前記吸気補充孔の孔径又は数は、前記ガス供給源から供給されるガスの供給量に応じて設定され、前記ガス供給源から供給されるガスの供給量が多いほど、前記吸気補充孔の孔径を小さく、又は数を少なく設定する請求項５に記載の鼻腔カニューラ。
【請求項７】
前記第１逆止弁は、前記吸気補充孔の孔径に応じて異なる色彩が付されている請求項６に記載の鼻腔カニューラ。
【請求項８】
前記本体は、前記鼻腔挿入部を含む弾性を有する第１部材と、前記ガス導入部を含む、前記第１部材より剛性のある第２部材とが、着脱可能に嵌合されてなる請求項１〜７のいずれか一項に記載の鼻腔カニューラ。
【請求項９】
前記ガス導入部に接続された第１チューブの一端と、前記ガス供給源に接続された第２チューブの一端とが接続されたリザーババッグをさらに備える請求項１〜８のいずれか一項に記載の鼻腔カニューラ。
【手続補正２】
【補正対象書類名】明細書
【補正対象項目名】０００６
【補正方法】変更
【補正の内容】
【０００６】
本発明は、内部が気密空間とされた本体と、前記本体に設けられ、ガス供給源から供給されるガスを前記本体に導入するガス導入部と、前記本体に設けられ、鼻腔に隙間なく挿入される弾性を有する鼻腔挿入部と、前記本体に設けられ、主として前記鼻腔からの呼気を前記本体の外部へ排気する排気孔と、前記排気孔を開閉可能に設けられ、前記本体の内部から外部への気体の流れのみを許容する第１逆止弁と、前記本体の外部から内部へ吸入される空気量を調整する吸入空気量調整手段と、を備える鼻腔カニューラにより、上記課題を解決する。
【手続補正３】
【補正対象書類名】明細書
【補正対象項目名】０００９
【補正方法】変更
【補正の内容】
【０００９】
休止の際には、第１逆止弁が閉じているので、ガス供給源から供給されたガスが、本体の外部へ廃棄されることはない。以上のことから、本発明によれば、廃棄される供給ガス量を低減し、効率良くガスを人体内に供給することができる。また本発明では、本体の外部から内部へ吸入される空気量を調整する吸入空気量調整手段を有するので、ガス供給源からの供給ガスに加えて周囲の空気を吸気することができ、鼻腔カニューラを装着した際の呼吸が楽になる。